(57)【特許請求の範囲】
【請求項１】
上カバーと下カバーとを互いの周縁で合わせた状態で、周縁の全周にわたって双方の周縁を互いに接合して内部が水密に密閉される防水ケースの水密構造において、両カバーの周縁にフランジ状のリブを全周にわたって形成すると共に、このリブの合わせ面に、接着剤が塗布される接着領域と、レーザ光により溶着される溶着領域とを内外２重の環状に設けると共に、接着領域と溶着領域との間に、接着領域から溶着領域への接着剤の侵入を防止する接着剤溜まりを設けたことを特徴とする防水ケースの水密構造。
【請求項２】
上記防水ケースは浴室の壁面に取り付けられる浴室テレビの本体を構成するものであり、リブは下ケース側を壁面に取り付けた状態で壁面との間に隙間が形成され、壁面と下ケースとの合わせ部分を前方から隠すように形成されたことを特徴とする請求項１に記載の防水ケースの水密構造。
【発明の詳細な説明】
【技術分野】
【０００１】
本発明は、浴室テレビ等の内部に電気機器等を収納する防水ケースの水密構造に関する。
【背景技術】
【０００２】
従来のより浴室や屋外等の湯水がかかる環境で使用される電子機器を収納するため、防水ケースが用いられている。この防水ケースは内部に電子機器を収納した状態で水密に密閉されるもので、一旦密閉した後再度解放する必要がない場合には接着剤で接着し、あるいはレーザ光により溶着する手法が採用されていた（例えば、特許文献１参照）。
【０００３】
接着剤を用いる手法は歴史が古く、そのため接着性が安定しており、確実に水密製を確保することができるが、接着剤が硬化するまで長時間放置する必要があり、また熱硬化性の接着剤では加熱炉で加熱する必要がある。また、接着剤が硬化するまで防水ケースの合わせ部が剥がれないようにジグ等で押さえる必要がある。さらに、硬化させる工程がバッチ処理になるため、多種少量生産に適しておらず、製造ラインが大型化してしまう傾向がある。そのため、接着剤を用いる手法を採用すると防水ケースの製造コストが高くなるという不具合が生じる。
【０００４】
一方、レーザ光により溶着する手法では溶着部分はほぼ瞬時に再硬化するため短時間で防水ケースを製造することができ、かつ機種変更に柔軟に対応することができる利点はあるものの、防水ケースの溶着に用いられた歴史が浅く、防水ケースが経年後に防水性を担保し続けられるか不安が残る。また、溶着中に溶融した樹脂から発生したガスにより溶着部分に目視できないくらいの微細な連通部が形成される恐れもある。
【特許文献１】特開２００６−１６５３５１号公報（図２）
【発明の開示】
【発明が解決しようとする課題】
【０００５】
上述の接着剤を用いる手法とレーザ光による溶着手法との双方を採用し、接着剤を塗布する接着領域とレーザ光による溶着領域とを内外２重に設ければ、接着剤が硬化するまでレーザ個運時夜溶着部が合わせ部の剥がれを防止し、かつ経年変化に対する水密製の確保を担保することができる。
【０００６】
ただし、レーザ光を照射する前に接着剤が接着領域からはみ出して溶着領域に侵入すると、接着剤が邪魔をして樹脂が充分に溶融せず、レーザ光による溶着が不完全になるという不具合が生じる。
【０００７】
そこで本発明は、上記の問題点に鑑み、接着剤による接着とレーザ光による溶着とを用いる場合に、確実に溶着することのできる防水ケースの水密構造を提供することを課題とする。
【課題を解決するための手段】
【０００８】
上記課題を解決するために本発明による防水ケースの水密構造は、上カバーと下カバーとを互いの周縁で合わせた状態で、周縁の全周にわたって双方の周縁を互いに接合して内部が水密に密閉される防水ケースの水密構造において、両カバーの周縁にフランジ状のリブを全周にわたって形成すると共に、このリブの合わせ面に、接着剤が塗布される接着領域と、レーザ光により溶着される溶着領域とを内外２重の環状に設けると共に、接着領域と溶着領域との間に、接着領域から溶着領域への接着剤の侵入を防止する接着剤溜まりを設けたことを特徴とする。
【０００９】
接着剤が接着領域から溶着領域にむかってはみ出しても、接着剤溜まりでそれ以上のはみ出しが止められ、接着剤が溶着領域に侵入することが防止される。
【００１０】
なお、上記防水ケースは浴室の壁面に取り付けられる浴室テレビの本体を構成するものであり、リブは下ケース側を壁面に取り付けた状態で壁面との間に隙間が形成され、壁面と下ケースとの合わせ部分を前方から隠すように形成することができる。
【発明の効果】
【００１１】
以上の説明から明らかなように、本発明は、接着領域から溶着領域への接着剤の侵入が防止されるので、溶着領域での溶着が接着剤によって阻害されるおそれがなく、溶着領域での溶着を確実に行うことができる。
【発明を実施するための最良の形態】
【００１２】
図１を参照して、１は受けカバーであり、２は下カバーであり、これら上カバー１と下カバー２とを全周にわたって水密に接合することにより防水ケースを構成するようにした。また両カバー１，２の各全集部分にはフランジ状の上リブ１１と下リブ２１とを形成しており、両カバー１，２はこれら両リブ１１，２１で相互に接合される。なお、上カバー１はレーザ光を透過し、レーザ光が照射されても上カバー１自体は発熱しないが、可視光線を遮光するため黒色に着色されている。また、下カバー２は不透明であり、レーザ光が照射されるとレーザ光を吸収し、照射された部分が発熱して溶融する樹脂で形成されている。
【００１３】
図２を参照して、３はジグベースであり、このジグベース３の上面には保持台３１が取り付けられており、この保持台３１の上に下リブ２１が載置される。そして、下リブ２１に上リブ１１が重なるように上カバー１をセットした状態で、透明な押さえ部材３２で上リブ１１の上面から押さえるようにした。なお、上カバー１をセットする前に下リブ２１の上面であって内側に偏った部分に接着剤を塗布し接着領域４とした。そして、上カバー１をセットした状態で、この接着領域４の外側を全周にわたってレーザ光により溶着し溶着領域５とした。なお、接着領域４と溶着領域５との間に位置するように、上リブ１１に溝状の接着剤溜まり６を形成した。したがって押さえ部材３２で上リブ１１を押さえた際に接着剤が外側にはみ出しても、この接着剤溜まり６内に接着剤がためられ、溶着領域５となる部分に接着剤が侵入することが防止される。
【００１４】
なお、図２に示した実施の形態では、接着領域４と溶着領域５とをほぼ同じ高さに設けたが、図３に示すように、接着領域４と溶着領域５との高さを変えて両者の段違い部分に接着剤溜まり６を形成するようにしてもよい。
【００１５】
また、図４に示す余蘊時、溶着領域５となる部分を傾斜させるコトン時より押さえ部材３２で上リブ１１を押さえた際に、溶着領域５となる部分の密着度が増すようにしてもよい。
【００１６】
ただし、図５に示すように、溶着領域５となる部分の傾斜角度が大きくなると、上カバー１が邪魔になってレーザ光を溶着領域となる部分に照射できなくなる。その際には、押さえ部材３２に鏡面部３３を形成し、この鏡面部３３で一旦レーザ光を反射させて溶着領域となる部分に照射させればよい。
【００１７】
なお、本発明は上記した形態に限定されるものではなく、本発明の要旨を逸脱しない範囲内において種々の変更を加えてもかまわない。
【図面の簡単な説明】
【００１８】
【図１】本発明の一実施の形態の構成を示す図
【図２】リブの合わせ部の構造を示す図
【図３】リブの合わせ部の構造の第２の形態を示す図
【図４】リブの合わせ部の構造の第３の形態を示す図
【図５】リブの合わせ部の構造の第４の形態を示す図
【符号の説明】
【００１９】
１ 上カバー
２ 下カバー
３ ジグベース
４ 接着領域
５ 溶着領域
１１ 上リブ
２１ 下リブ
３３ 鏡面部
【図１】
0004864913.tif 000002
【図２】
0004864913.tif 000003
【図３】
0004864913.tif 000004
【図４】
0004864913.tif 000005
【図５】
0004864913.tif 000006